(57)【要約】【課題】畝の幅が異なる畑や丈の異なる農作物にも適用でき、路面の凹凸が激しい場合やぬかるんでいる場合でも、畝を跨いだ状態で容易に移動させて使用することが可能な農作物運搬装置を提供することを目的とする。【解決手段】農作物運搬装置１ａは、円管状の湾曲部２ａ及び直部３とから構成される略Ｕ字状の複数の枠体４ａが支持部５によって並列に連結されるとともに、収穫した農作物９の実１０を一時的に収容するための収納部６が直部３に外嵌された円管状の保持部７によって枠体４ａに昇降自在に設置され、直部３の下部に一対のソリ状の滑走体８からなる走行部が農作物９を生育する畝１１を挟むように配置され、収納部６はフレーム１２ａ〜１２ｃによって形成される略矩形状部分に網状体１３が取り付けられた構造となっている。【選択図】図１
2007029024.tif 000002
【特許請求の範囲】
【請求項１】
農作物を収穫しながら畝に沿って移動可能な農作物運搬装置において、湾曲部とこの湾曲部から延設される直部を備える略Ｕ字又は門型形状の複数の枠体と、この複数の枠体を並列に連結する支持部と、前記並列に連結された枠体に設置され収穫した前記農作物を一時的に収容する収納部と、前記枠体の下部に前記畝を挟んで設置された一対のソリ状の滑走体を備えた走行部とを有することを特徴とする農作物運搬装置。
【請求項２】
前記収納部は、上下方向の位置を変更可能な保持部を備えて前記枠体に設置されることを特徴とする請求項１記載の農作物運搬装置。
【請求項３】
前記収納部は、両端が前記保持部に固定される第１のフレームと、この第１のフレームと直角をなすように前記保持部に一端が固定される第２のフレームと、２本の前記第２のフレームを連結する第３のフレームと、前記第１乃至第３のフレームに着脱自在に取り付けられた網状体とを備えることを特徴とする請求項１又は請求項２に記載の農作物運搬装置。
【請求項４】
両端部の前記枠体に設置される前記第２のフレームに代えて、前記第１のフレームに対して鋭角をなすように前記保持部に一端が固定されるガイドフレームを備え、このガイドフレーム下方の収納部端部に前記網状体が取り付けられ、この収納部端部の網状体は、前記ガイドフレーム付近が最も浅く、前記ガイドフレームから離れるに従って徐々に深くなるように傾斜を設けて設置されることを特徴とする請求項３に記載の農作物運搬装置。
【請求項５】
前記枠体は、前記湾曲部で分割され、前記一対の滑走体間の距離を変更可能に前記分割された湾曲部を連結する調整部を備えることを特徴とする請求項１乃至請求項４のいずれか１項に記載の農作物運搬装置。
【請求項６】
前記走行部は、ソリ状の滑走体に代えて車輪で構成されることを特徴とする請求項１乃至請求項５のいずれか１項に記載の農作物運搬装置。 
【発明の詳細な説明】
【技術分野】
【０００１】
本発明は、畝を作って栽培する野菜や果物等の農作物を収穫して運搬する農作物運搬装置に係り、特に、畝を跨いだ状態で移動させて使用する農作物運搬装置に関する。
【背景技術】
【０００２】
従来、畝を作って栽培する農作物は、例えば、籠を持った作業者が畝に沿って移動しながら収穫し、運搬していた。しかしながら、一度に運搬可能な量は限られているため、作業者は何度も同じところを往復する必要があり、運搬作業に時間を要するととともに、作業者にとっても重労働となっていた。
このような課題に対処するため、収穫した農作物を一時的に収容し、運搬する装置に関していくつかの発明や考案が開示されている。
【０００３】
例えば、特許文献１には、「たばこ葉運搬車」という名称で、圃場内で幹刈りしたたばこ葉を積み込み、畦とたばこの残幹を跨いで走行できるように構成された車両枠体を有する運搬車に関する発明が開示されている。
【０００４】
以下、図６を参照しながら、特許文献１に開示された発明について説明する。
図６は従来技術に係る幹刈りされたたばこを運搬するたばこ葉運搬車の斜視図である。
図６に示すように、従来技術に係る発明は、正面から見て略Ｗ字状をなす一対の機体フレーム１０１に底板１０５及び側板１０６が嵌め込まれるとともに、前後方向に前輪１０２及び後輪１０３が取り付けられ、中央部に走行制御装置（図示せず）やバッテリ１０７及びモータ１０８が設置され、その両側にたばこ葉を載置する荷台１０４が設けられた構造となっている。
上記構造の「たばこ葉運搬車」においては、畦Ｕ及び幹刈り後のたばこの残幹Ｒを跨いで走行させることが可能である。また、畦Ｕ両側の谷部上方に低く配置された荷台１０４にたばこ葉を嵩高く積み重ねることができるため、運搬作業の効率が上がる。
【０００５】
また、特許文献２には「収穫台車」という名称で、畝を作って栽培する、丈の低い農作物を収穫して運搬する台車に関する発明が開示されている。
特許文献２に開示された発明は、上部に座席が設けられるとともに下部にギャドモーターが取り付けられた車体の下面に固定型及び自在型の車輪が縦に配置され、車体に対してほぼ直角をなすとともに長さを調整可能に設置されたアームの上及び反対側に各々箱が載るような枠が設けられ、アームの先端に自在型の車輪とバッテリが取り付けられている。そして、バッテリによってギャドモーターを駆動して固定型の車輪を回転させる構造となっている。
上記構造の「収穫台車」においては、台車に腰掛けたままで農作物を収穫できるため、収穫作業を楽に行うことができる。また、アームの長さを調整できるため、幅の広い畝に対しても適用できる。
【０００６】
さらに、特許文献３には「作業用運搬車」という名称で、畝を跨いだ状態で使用できる作業用運搬車に関する考案が開示されている。
特許文献３に開示された「作業用運搬車」は、互いに平行に配置された支持フレームに対して略直立状態に取付けられた支持部材の上端部にエンジン部及び操作部を載置するための台枠が設置されたフレーム部が取り付けられ、支持フレームの各側面には無端伝動帯を有する走行部が設けられ、フレーム部の上部には昇降部によって略水平状態で上下動する荷台が設けられた構造となっている。そして、操作部が台枠の一側に偏倚させて取り付けられていることを特徴とするものである。
上記構造の「作業用運搬車」においては、地面と荷台の間が空いているため、畝を跨いだ状態での走行が可能である。また、走行部が無端伝動帯を有しているため、路面がぬかるんでいる場合や凹凸が激しい場合でもスムーズな走行が可能である。さらに、操作部が台枠の一側に偏倚させて取り付けられているため、畝間を歩きながら操作することができる。
【特許文献１】特開２００４−２４１０５号公報
【特許文献２】特開平１０−３０９１１６号公報
【特許文献３】特開平５−１１２１７５号公報
【発明の開示】
【発明が解決しようとする課題】
【０００７】
しかしながら、上述の従来技術である特許文献１に開示された発明においては、幹刈りされたたばこ葉より丈の高い農作物や幅の広い畦に対しては適用できないという課題があった。
【０００８】
特許文献２に開示された発明においては、丈の高い農作物に対しては適用できず、また、路面が軟らかい場合には走行が困難になるという課題があった。
【０００９】
特許文献３に開示された考案においては、畝の幅が異なる畑や丈の異なる農作物には適用できないおそれがあった。また、エンジンや操作部を搭載しており、重量が重いため、小回りが効かず、特に小さな畑等において方向転換させる場合には操作性が悪いという課題があった。
【００１０】
本発明はかかる従来の事情に対処してなされたものであり、畝の幅が異なる畑や丈の異なる農作物にも適用可能であるとともに、路面がぬかるんでいる場合や凹凸が激しい場合でも畝を跨いだ状態で容易に移動させて使用することができる農作物運搬装置を提供することを目的とする。
【課題を解決するための手段】
【００１１】
上記目的を達成するため、請求項１記載の発明である農作物運搬装置は、農作物を収穫しながら畝に沿って移動可能な農作物運搬装置において、湾曲部とこの湾曲部から延設される直部を備える略Ｕ字又は門型形状の複数の枠体と、この複数の枠体を並列に連結する支持部と、並列に連結された枠体に設置され収穫した農作物を一時的に収容する収納部と、枠体の下部に畝を挟んで設置された一対のソリ状の滑走体を備えた走行部とを有することを特徴とするものである。
このような構成の農作物運搬装置においては、枠体が畝を跨ぐように配置されているため、農作物の丈が高い場合でも、移動の際に農作物を傷めることがなく、農作物の収穫や運搬の際の姿勢が安定するという作用を有する。また、走行部が一対のソリ状の滑走体により構成されており、路面との接触面積が広いため、路面がぬかるんでいる場合でも、めり込みにくいという作用を有する。
【００１２】
また、請求項２記載の発明は、請求項１記載の農作物運搬装置において、収納部は、上下方向の位置を変更可能な保持部を備えて枠体に設置されることを特徴とするものである。
このような構成の農作物運搬装置によれば、農作物の高さに応じて収納部の高さを変更できるため、収納部との接触によって農作物が傷められることがないという作用を有する。
【００１３】
請求項３記載の発明は、請求項１又は請求項２記載の農作物運搬装置において、収納部は、両端が保持部に固定される第１のフレームと、この第１のフレームと直角をなすように保持部に一端が固定される第２のフレームと、２本の第２のフレームを連結する第３のフレームと、第１乃至第３のフレームに着脱自在に取り付けられた網状体とを備えることを特徴とするのである。
このような構成の農作物運搬装置によれば、収納部に収納された農作物に付着している不用な土が網状体の網目からふるい落とされるという作用を有する。
【００１４】
請求項４記載の発明は、請求項３に記載の農作物運搬装置において、両端部の枠体に設置される第２のフレームに代えて、第１のフレームに対して鋭角をなすように保持部に一端が固定されるガイドフレームを備え、このガイドフレーム下方の収納部端部に網状体が取り付けられ、この収納部端部の網状体は、ガイドフレーム付近が最も浅く、ガイドフレームから離れるに従って徐々に深くなるように傾斜を設けて設置されることを特徴とするものである。
このような構成の農作物運搬装置によれば、農作物がガイドフレームに沿って案内されて、農作物運搬装置の略中央に配置されるという作用を有する。また、収穫された農作物の収納部端部からの落下を防ぐという作用を有する。さらに、収納部端部の網状体が傾斜しているため、収穫された農作物が収納部から容易に取り出されるという作用を有する。
【００１５】
請求項５記載の発明は、請求項１乃至請求項４のいずれか１項に記載の農作物運搬装置において、枠体は、湾曲部で分割され、一対の滑走体間の距離を変更可能に分割された湾曲部を連結する調整部を備えることを特徴とするものである。
このような構成の農作物運搬装置によれば、請求項１乃至請求項４のいずれか１項に記載の発明の作用に加えて、分割された湾曲部の連結部分を調整部内の所望の位置で固定することによって、一対の滑走体間の距離が調整されるという作用を有する。
【００１６】
請求項６記載の発明は、請求項１乃至請求項５のいずれか１項に記載の農作物運搬装置において、走行部は、ソリ状の滑走体に代えて車輪で構成されることを特徴とするものである。
このような構成の農作物運搬装置によれば、請求項１乃至請求項５のいずれか１項に記載の発明の作用に加えて、移動させる際に路面の凹凸から受ける抵抗が小さくなるという作用を有する。
【発明の効果】
【００１７】
以上説明したように、本発明の請求項１に記載の農作物運搬装置においては、畝を傷めることなく、小さな力で移動させることができるため、収穫された農作物の運搬に要する労力が低減される。また、収納部が畝の両側に配置されているため、作業者は農作物を収穫する際に安全な姿勢で作業できる場所を選ぶことができる。従って、作業の安全性が高まるとともに、過って畝が踏み荒らされるおそれがない。さらに、構造が簡単なため、運搬や収納が容易であるとともに、製造コストを安くすることができる。
【００１８】
本発明の請求項２に記載の農作物運搬装置においては、請求項１に記載の発明の効果に加えて、丈の異なる農作物に対しても、安全に収穫作業を行うことができる。
【００１９】
本発明の請求項３に記載の農作物運搬装置においては、請求項１又は請求項２に記載の発明の効果に加えて、収穫された農作物の運搬作業及び収納部からの取り出し作業に要する労力が低減される。また、収納部をフレームから取り外すことにより、倉庫等に収納する場合のスペースを節約することができる。
【００２０】
本発明の請求項４に記載の農作物運搬装置においては、請求項３に記載の発明の効果に加えて、農作物が畝の中心から外れた位置に生育している場合であっても、効率よく収穫作業を行うことができる。また、収穫された農作物の運搬作業も容易となる。
【００２１】
本発明の請求項５に記載の農作物運搬装置においては、請求項１乃至請求項４のいずれか１項に記載の発明の効果に加えて、畝や農作物の幅に応じて滑走体間の幅を調節できるため、畝や農作物を傷めることがない。また、倉庫等に収納する場合に、滑走体間の幅を最小にすることによって、収納スペースを節約することができる。
【００２２】
本発明の請求項６に記載の農作物運搬装置においては、請求項１乃至請求項５のいずれか１項に記載の発明の効果に加えて、路面に凹凸がある場合でも、小さな力で移動させることができるため、収穫された農作物を容易に運搬することが可能である。
【発明を実施するための最良の形態】
【００２３】
以下に、本発明の最良の実施の形態に係る農作物運搬装置の実施例について説明する。
【実施例１】
【００２４】
実施例１について図１を用いて説明する（特に請求項１乃至請求項３に対応）。
図１（ａ）は本発明の実施の形態に係る農作物運搬装置の実施例１の外観図であり、（ｂ）は収納部の部分拡大図であり、（ｃ）は収納部の枠体への取り付け状態を示す図である。
図１（ａ）及び（ｂ）に示すように、本実施例の農作物運搬装置１ａは、円管状の湾曲部２ａ及び直部３とから構成される略Ｕ字状の複数の枠体４ａが支持部５によって並列に連結されるとともに、収穫した農作物９の実１０を一時的に収容するための収納部６が直部３に外嵌された円管状の保持部７によって枠体４ａに昇降自在に設置されるものである。そして、直部３の下部には一対のソリ状の滑走体８からなる走行部が農作物９を生育する畝１１を挟むように配置され、収納部６はフレーム１２ａ〜１２ｃによって形成される略矩形状部分に合成樹脂製の網状体１３が取り付けられた構造となっている。なお、フレーム１２ａは異なる枠体４ａに設置された２本の保持部７を連結し、フレーム１２ｂはフレーム１２ａに対して略直角をなすようにその一端が保持部７に固定され、フレーム１２ｃは２本のフレーム１２ｂ同士を連結している。網状体１３の四隅は、図１（ｂ）に示すように、紐状体１４ａ,１４ｂによってフレーム１２ａ〜１２ｃにそれぞれ緊結されている。
図１（ｃ）に示すように、保持部７の両側面には複数のネジ孔１６ａが所定の間隔で穿設されており、直部３の両側面にはネジ１５ａを挿通させる複数の貫通孔１９が穿設されている。そして、ネジ孔１６ａと貫通孔１９との位置を合わせて、ネジ１５ａをネジ孔１６ａに螺挿することにより、保持部７は直部３に固定される。
【００２５】
このような構成の農作物運搬装置１ａにおいては、畝１１を跨ぐように枠体４ａが配置されているため、農作物９の実１０の収穫及び運搬の際に不安定な姿勢になることがない。また、路面との接触面積が広いため、滑走体８が路面にめりこみ難い。農作物９の高さに応じて収納部６の高さを容易に変更できるため、収納部６との接触によって農作物９が傷められる危険性がない。
【００２６】
次に、収穫した農作物９の実１０を収納部６から取り出す作業について図２を用いて説明する。
図２は収納部から農作物を取り出す方法を示す実施例１の農作物運搬装置の正面図である。なお、図１の構成要素と同じものについては、同一の符号を付してその説明を省略する。
図２に示すように、農作物９の実１０の収穫作業が終わると、農作物運搬装置１ａは畑の外に運搬され、収納部６の下方に箱１７が設置される。その後、フレーム１２ｂ，１２ｃに網状体１３を緊結している紐状体１４ａを解くと、網状体１３のフレーム１２ｃ側の端が垂れ下がる。これにより、網状体１３内の実１０は箱１７の中へ移動する。
【００２７】
以上説明したように、本実施例の農作物運搬装置１ａにおいては、枠体４ａや収納部６や滑走体８によって畝１１を傷めることなく、安全に移動させることができる。また、路面がぬかるんでいる場合であっても、小さな力で移動できるため、収穫した農作物９の実１０を効率良く運搬することができる。さらに、畝１１の両側に収納部６が配置されているため、作業者は畝１１の両側どちらからでも農作物９の実１０を収穫することが可能である。従って、作業者は無理な体勢になることなく、安全に作業をすることができる。また、過って畝１１を踏み荒らす心配もない。加えて、農作物９の高さに応じて収納部６の高さを変更することにより、様々な高さの農作物９に対して同一の農作物運搬装置１ａを使用することができるため、効率が良い。さらに、構造が簡単であるため、製造コストを安くすることができるとともに、運搬や収納が容易である。また、収納部６に収容された農作物９の実１０を箱１７に移す作業を効率良く行うことが可能である。
【００２８】
本実施例では、軽量化のために枠体４ａや支持部５やフレーム１２ａ〜１２ｃを合成樹脂製の円管状部材とするが、これに限定されるものではなく、中実構造としても良い。この場合、これらの各部材の剛性が高くなるため、農作物運搬装置１ａ全体としても頑丈な構造となる。そして、上記円管状部材は、軽金属製としても良い。さらに、枠体４ａは略Ｕ字状に代えて門型形状としても良い。
また、滑走体８は必ずしも両端が上方に折り曲げられた構造とする必要はなく、少なくとも一端が上方に折り曲げられた構造であれば良い。
網状体１３は合成樹脂製に限定されるものではなく、ステンレス製あるいはそれ以外の軽金属製としても良い。また、網状体１３はフレーム１２ａ〜１２ｃで形成される略矩形状部分に着脱自在に嵌合される箱型形状とすることもできる。そして、網状体１３のフレーム１２ａ〜１２ｃへの固定は紐状体１４ａ，１４ｂの代わりにネジを用いても良い。
ネジ１５ａによる保持部７の固定は、本実施例に示す方法に限定されるものではない。すなわち、ネジ孔１６ａの位置や個数は図１（ａ）に示すものに限られない。また、保持部７にネジ孔１６ａの代わりに貫通孔１９を穿設するとともに、直部３に複数のネジ孔１６ａを設け、保持部７の貫通孔１９に挿通させたネジ１５ａをこのネジ孔１６ａに螺挿する構造としても良い。さらに、直部３のネジ孔１６ａも貫通孔１９とし、ネジ１５ａの代わりにピンを保持部７及び直部３の貫通孔１９に挿通させる構造とすることもできる。
【実施例２】
【００２９】
実施例２について図３を用いて説明する（特に請求項５に対応）。
図３（ａ）及び（ｂ）はともに本発明の実施の形態に係る農作物運搬装置の実施例２の正面図である。なお、図１及び図２の構成要素と同じものについては、同一の符号を付してその説明を省略する。
本実施例の農作物運搬装置１ｂは、実施例１において略Ｕ字状の枠体４ａに代えて、湾曲部２ｂ及び直部３，３ａとから構成される枠体４ｂを備え、枠体４ｂは直部３ａで分割されるとともに、直部３ａの端部が調整部１８内に矢印の向きに摺動自在に挿設されて門型状を形成している。そして、調整部１８の側面に設けられたネジ孔１６ｂにネジ１５ｂを螺挿することによって、直部３ａの落脱を防ぐ構造となっている。なお、図示していないが、調整部１８は支持部５によって並列に連結されている。
このような構造の農作物運搬装置１ｂにおいては、直部３ａを調整部１８内で摺動させ、所望の位置で固定することによって、一対の滑走体８間の距離が調整されるという作用を有する。
【００３０】
以上説明したように、本実施例の農作物運搬装置１ｂにおいては、幅の異なる畝１１や畝１１ａに対して、滑走体８間を調節して適切な幅に設定できるため、畝を傷めるおそれがない。また、倉庫等に収納する際には滑走体８間の幅を最小にすることによって、収納スペースを節約することができる。なお、直部３ａを調整部１８から抜いて農作物運搬装置１ｂを分解すれば、収納スペースをさらに節約することが可能である。
【００３１】
なお、ネジ１５ｂによる直部３ａの固定は、本実施例に示す方法に限定されるものではない。すなわち、ネジ孔１６ｂの位置や個数は２個に限らず、３個以上であっても良い。また、調整部１８にネジ孔１６ｂの代わりに貫通孔１９を穿設するとともに、直部３ａに複数のネジ孔１６ｂを設け、調整部１８の貫通孔１９に挿通させたネジ１５ｂをこのネジ孔１６ｂに螺挿する構造としても良い。さらに、直部３ａのネジ孔１６ｂも貫通孔１９とし、ネジ１５ｂの代わりにピンを調整部１８及び直部３ａの貫通孔１９に挿通させる構造とすることもできる。
【実施例３】
【００３２】
実施例３について図４を用いて説明する（特に請求項６に対応）。
図４本発明の実施の形態に係る農作物運搬装置の実施例３の外観図である。なお、図１の構成要素と同じものについては、同一の符号を付してその説明を省略する。
図４に示すように、本実施例の農作物運搬装置１ｃは、実施例１のソリ状の滑走体８に代えて、車輪２０で構成される走行部を備えたことを特徴とするものである。なお、車輪２０は自在型又は固定型のどちらでも良い。
このような構造の農作物運搬装置１ｃにおいては、移動させる際に路面の凹凸から受ける抵抗が小さいという作用を有する。
【００３３】
以上説明したように、本実施例の農作物運搬装置１ｃにおいては、路面に凹凸があっても、収穫された農作物を効率良く運搬することができる。
【実施例４】
【００３４】
実施例４について図５を用いて説明する（特に請求項４に対応）。
図５（ａ）は本発明の実施の形態に係る農作物運搬装置の実施例４の外観図であり、（ｂ）は収納部の一部を拡大した平面図であり、（ｃ）は収納部の一部を拡大した側面図である。なお、図１の構成要素と同じものについては、同一の符号を付してその説明を省略する。
図５（ａ）に示すように、本実施例の農作物運搬装置１ｄは、実施例１において両端部の枠体２ａに設置された４本のフレーム１２ｂに代えて、フレーム１２ａに対して鋭角をなすとともに一端が保持部７に固定された４本のガイドフレーム１２ｄを備え、図５（ｂ）及び（ｃ）に示すように、フレーム１２ａ〜１２ｃ及びガイドフレーム１２ｄによって形成される台形状部分及びガイドフレーム１２ｄ下方の収納部端部１３ａに合成樹脂製の網状体１３が取り付けられたことを特徴とするものである。
図５（ｂ）に示すように、このような構造の農作物運搬装置１ｄにおいては、農作物運搬装置１ｄを矢印Ｂで示す方向に移動させると、農作物９がガイドフレーム１２ｄに沿って矢印Ａで示すように案内されて農作物運搬装置１ｄの中央に配置されるという作用を有する。また、収納部端部１３ａに配置される網状体１３は、収穫された実１０が収納部６ａの前後からこぼれ落ちないようにするという作用を有する。
なお、収納部端部１３ａの網状体１３は、ガイドフレーム１２ｄ付近が最も浅く、ガイドフレーム１２ｄから離れるに従って徐々に深くなるように傾斜を設けて設置されることが望ましい。この場合、収穫された実１０が収納部６ａから容易に取り出されるという作用を有する。
【００３５】
以上説明したように、本実施例の農作物運搬装置１ｄにおいては、畝１１の中心から外れた位置にある農作物に対しても、収穫作業を効率良く行うことができる。また、収穫された実１０の運搬作業も容易である。
【００３６】
実施例１乃至実施例４では、枠体４ａ，４ｂの一部を湾曲部２ａ，２ｂとしているが、枠体４ａ，４ｂ全体を直部３，３ａのみで構成しても良い。また、支持部５の本数及び配置は、上記の実施例に限定されるものではなく、適宜変更可能である。
【産業上の利用可能性】
【００３７】
以上説明したように、本発明の請求項１乃至請求項６に記載された発明は、根元付近の土を踏み固めることなく、農作物の収穫を行うことができるため、畝を設けずに栽培される農作物に対しても適用可能である。
【図面の簡単な説明】
【００３８】
【図１】（ａ）は本発明の実施の形態に係る農作物運搬装置の実施例１の外観図であり、（ｂ）は収納部の部分拡大図であり、（ｃ）は収納部の枠体への取り付け状態を示す図である。
【図２】収納部から農作物を取り出す方法を示す実施例１の農作物運搬装置の正面図である。
【図３】（ａ）及び（ｂ）はともに本発明の実施の形態に係る農作物運搬装置の実施例２の正面図である。
【図４】本発明の実施の形態に係る農作物運搬装置の実施例３の外観図である。
【図５】（ａ）は本発明の実施の形態に係る農作物運搬装置の実施例４の外観図であり、（ｂ）は収納部の一部を拡大した平面図であり、（ｃ）は収納部の一部を拡大した側面図である。
【図６】従来技術に係る幹刈りされたたばこを運搬するたばこ葉運搬車の斜視図である。
【符号の説明】
【００３９】
１ａ〜１ｄ…農作物運搬装置  ２ａ，２ｂ…湾曲部  ３，３ａ…直部  ４ａ，４ｂ…枠体  ５…支持部  ６，６ａ…収納部  ７…保持部  ８…滑走体  ９…農作物  １０…実  １１，１１ａ…畝  １２ａ〜１２ｃ…フレーム  １２ｄ…ガイドフレーム  １３…網状体  １３ａ…収納部端部  １４ａ,１４ｂ…紐状体  １５ａ,１５ｂ…ネジ  １６ａ,１６ｂ…ネジ孔    １７…箱  １８…調整部  １９…貫通孔  ２０…車輪  １０１…機体フレーム  １０２…前輪  １０３…後輪  １０４…荷台  １０５…底板  １０６…側板  １０７…駆動装置（バッテリ）  １０８…駆動装置（モータ）  Ｒ…たばこの残幹  Ｕ…畦  Ａ，Ｂ…矢印
【図１】
2007029024.tif 000003
【図２】
2007029024.tif 000004
【図３】
2007029024.tif 000005
【図４】
2007029024.tif 000006
【図５】
2007029024.tif 000007
【図６】
2007029024.tif 000008